(57)【要約】      （修正有）【課題】短時間でデザイン的な模様を製作できる面取り機を提供する。【解決手段】ポリ塩化ビニル複層フロアー層の五層構造のフロアー材２の面取りを番傘状円錐形状刃物８の先端部を平板４の穴部に差し込んで行うポリ塩化ビニル系シータイル面取り機であって、ポリ塩化ビニルタイル仕様の耐久性、耐水性のフローリングである硬質ウレタン塗装層とポリ塩化ビニル層と天然木突板層と特殊シート層とポリ塩化ビニル複層フロアー層の五層構造のフロアー材の面取りにおいて、組み合わせ体が立体感を表現できるようになっている天然木突板の面を残して、硬質ウレタン塗装層とポリ塩化ビニル層とのみを角度１０〜２０°で切削して天然木突板模様を呈する面取りを行う。【選択図】図３
0003228564.tif 000002
【実用新案登録請求の範囲】
【請求項１】
ポリ塩化ビニルタイル仕様の耐久性、耐水性のフローリング材である硬質ウレタン塗装層とポリ塩化ビニル層と０．１〜０．３ｍｍ厚さの天然木突板層と特殊シート層とポリ塩化ビニル複層フロアー層の五層構造の３ｍｍ厚さのフロアー材の面取りにおいて、五層構造のフロアー材である積層体が立体感を表現できるように天然木突板の面を残して、硬質ウレタン塗装層とポリ塩化ビニル層とのみを角度１０〜２０°で厚さ０．５〜１ｍｍ、幅１〜２ｍｍに切削して、天然木突板模様面を表現した面取りができるようになっていることを特徴するポリ塩化ビニル系フロアー材面取り機。
【請求項２】
平板盤に固定脚を取り付けた椅子形状体になっている面取り機の骨格は、椅子形状体の端の縦面に平板を張り付けて、横面の平板盤と縦面の平板との接する部分で、その中心位置にした縦平板に１０〜２０ｍｍ径の貫通穴部を設け、前記縦面平板の裏面にモーター付き駆動器を固定しており、前記駆動器の先端部には番傘状円錐形状刃物を固着させており、前記円錐形状刃物の先端部のみを前記穴部に差し込んで平板から突出させて、五層構造のフロアー材の面取り切削を可能にしていることを特徴する請求項１に記載のポリ塩化ビニル系フロアー材面取り機。
【請求項３】
フロアー材の角部の切削面取り機の円錐形状刃物は、円錐体の角度３０〜６０°である番傘状円錐形状であり、円錐面の縦方向二箇所にＶ字状に掘り込み、掘り込みの一辺の角部に超鋼材の刃型を、切削角度として円錐状の傾斜角度に張り合わせたものであり、刃物は先端部３〜５ｍｍで円錐形に底部の径１０〜３０ｍｍφ、高さ２０〜４０ｍｍであり、前記フロアー材角面の硬質ウレタン塗装層とポリ塩化ビニルを切削してフロアー材の面取りを行うために、ポリ塩化ビニルタイル仕様の五層構造である３〜５ｍｍのフロアー材部品を平板盤上に置いて、平板盤の横面に沿ってフロアー材を回転稼働中の前記番傘状円錐形状刃物に横面に沿って移動させることを特徴する請求項１、又は請求項２に記載のポリ塩化ビニル系フロアー材面取り機。
【請求項４】
ポリ塩化ビニルタイル仕様の耐久性、耐水性のフローリングである硬質ウレタン塗装層とポリ塩化ビニル層と０．１〜０．３ｍｍ厚さの天然木突板層と特殊シート層とポリ塩化ビニル複層フロアー層の五層構造の３〜５ｍｍ厚さのフロアー材は、長方形状、正方形状、三角形状、台形形状、菱形形状の樹脂製タイルであり、フロアー材の表面仕上げ材を各辺で隣接させて配置して幾何学模様を構成した星様、花様、ダイヤ様、多角形様、格子様、ヘリンボーン様の模様型状配列体を形成し、前記フロアー材の配列体を複数組、互いに隣接する配列体を隣接させて順次配置する上で、各フロアー材の模様を残して面取りを行うと基材上に形成した単位くり返しの配列体の立体感をもたらして、配列体の模様が鮮明に引き立たせることを特徴する請求項１〜請求項３のいずれかに記載のポリ塩化ビニル系フロアー材面取り機。
【考案の詳細な説明】
【技術分野】
【０００１】この考案は、ポリ塩化ビニル複層フロアー層の五層構造の３ｍｍ厚さのフロアー材の面取りに前記番傘状円錐形状刃物の先端部を前記穴部に差し込んでいるポリ塩化ビニル系フロアー材面取り機に関する。
【背景技術】
【０００２】従来、節のある木材は、節の無い木材に比べて一般的には品質が落ちるものとされ、特に家具のように、木材の木肌をそのまま見せる部分では、節のない木材を選ぶか、節をかくした材料を使用して、家具の表面を装飾している。家具において、板材加工の作業効率及び加工品質の向上を図ることができる板材切断切削装置として、板材を切断する回転切断刃物と、該回転切断刃物を同軸芯上に固定した回転軸と、該回転軸を回転させる駆動機とを有する板材切断切削装置。回転軸には、回転切断刃物と一体的に回転する角部加工切削刃物を設け、回転切断刃物によって切断された板材における切断角部を、板材の切断直後において角部加工切削刃物により面取り加工するようにした装置が提案されている（特許文献１参照）。【０００３】切削工具を揺動自在に支持させ、該切削工具の切削部材をワークの縁に沿わせるようにした自動面取り装置で、曲がりばかさ歯車を面取りする場合に必要な切削部材の傾きの調整が容易な自動面取り装置として、工具主体に設けた切削部材を回転させてワークを切削する切削工具と、切削工具を揺動自在に支持するホルダーと、切削工具の切削部材を被切削部に向けて付勢する付勢手段と、ホルダーを支持する装置基台とを備え、さらにホルダーは、装置基台に対して一つの軸線Ｘを中心に傾動可能なように取付け、切削工具はホルダーの軸線Ｘの延長線Ｙと直角をなす軸線Ｚを中心として揺動自在に支持されて、ホルダーの延長線Ｙと切削部材とが交差するように切削工具の姿勢を設定する装置が提案されている。（特許文献２参照）。【０００４】作業性がよい面取り装置として、台座上に、金属製のローラシャフト収容角柱が２本の支柱によって支持され、ローラシャフト収容角柱の直角位置に平行に配置されたローラシャフト抑え機構が各２本の支柱によって支持されている。ローラシャフト収容角柱は４５°傾斜した矩形断面形状をなし、その直角上面に複数のローラシャフト収容孔が等間隔に設けられている。各ローラシャフト抑え機構はローラシャフト用の各１対の溝付板によって構成され、ローラシャフト収容孔を形成して、ローラシャフト収容角柱とローラシャフト抑え機構との間には複数のローラシャフトが平行に配置される装置が提案されている（特許文献３参照）。【０００５】また冷凍果実用切削装置として、果実が冷凍された状態にある冷凍果実を切削可能とする刃具と、前記冷凍果実を収容可能な内部空間が包囲部に囲まれて形成された冷凍果実収容手段と、前記冷凍果実収容手段内に回転可能に取付けられ、収容された前記冷凍果実を前記内部空間内で撹拌する撹拌手段と、前記撹拌手段の回転に必要な動力を発生する駆動手段と、前記駆動手段の動きを制御する制御手段と、を備え、少なくとも前記刃具と、前記冷凍果実収容手段と、前記撹拌手段とからなる切削加工部は、着脱自在に分割可能な構造で構成され、１組以上の前記切削加工部が何れも選択的に、前記駆動手段と前記制御手段とからなる切削駆動部と、連結部で接続または接続解除されること、前記撹拌手段は、前記制御手段により、前記冷凍果実の糖度に応じて制御された状態で回転し、前記冷凍果実は、前記撹拌手段により回転運動を伴いながら、前記刃具によって削られる���置などが提案されている（特許文献４参照）。【０００６】このようなヘリンボーン仕上げを行なうためには、従来、所定の長方形状を有する石材をモルタル等によって１枚ずつ仕上げ面に固定することによって行なっていた。すなわち、このヘリンボーン仕上げでは、長方形状を有する石材片を各対ごとにそれぞれへの字状配列を構成するよう順次貼り付けて行く必要がある。しかしながら、石材片を１個１個このような配列で貼り付ける作業は熟練を要すると共に、手間がかかりかつ作業時間が長くなるという不都合があった。このため、工期や施工コストの点で他の表装材による仕上げの場合と比較して不利になることもあった。【０００７】テーブル天板の支持強度が高いとともに、テーブル天板として木製や暖かみのある素材や模様のものを採用した場合でも、意匠的にテーブル天板と調和し且つ体感温度においても近似したテーブル脚を提供するために、テーブル天板の下面に複数本固定してテーブルを形成してなるテーブル脚であって、テーブル天板の下面にネジ止め固定するための金属製取け付板の適所に、金属製杆体からなる構造脚柱を垂下固着するとともに、該構造脚柱の外面長手方向に沿って木製又は合成樹脂製又は金属製の化粧脚柱を取付けていることが提案されている（特許文献５参照）。【０００８】ヘリンボーンなどのポリ塩化ビニル複層フロアー層の五層構造の３ｍｍ厚さの樹脂製フロアー材の面取りに対して前記番傘状円錐形状刃物の先端部を前記穴部に差し込んで、切削の面取りをするポリ塩化ビニル系フロアー材面取り機は存在していない。
【先行技術文献】
【特許文献】
【０００９】
【特許文献１】実用新案登録第３１１７５２８号公報
【特許文献２】特開２００７−４４８５５号公報
【特許文献３】特開２０１８−８３２１号公報
【特許文献４】特許第６０９１０４０号公報
【特許文献５】特開平０８−１１７０３３号公報
【考案の概要】
【考案が解決しようとする課題】
【００１０】  本考案は、従来の面取り装置は、かさ状歯車等に対して切削部材と歯の縁が一点で交わるため問題なく面取りできる。しかし曲がりばかさ歯車では、歯の歯先と歯元が同時に切削部材の切削領域を通過するため、歯先と歯元の何れか一方の面取りが行えない不具合が発生していたが、切削部材を歯の形状に合わせて適宜に傾け切削部材が常に歯の縁と一点で交わるようにすれば良いのであるが、従来の面取り装置では切削部材を傾ける調整が容易でなく、作業性が悪く、問題点があった。また２〜５ｍｍの薄板。樹脂板、タイルなどの面取りについては装置がないという問題点があった。【００１１】フロアー材配列体を複数組、互いに隣接する配列体を隣接させて順次配置する上で、各フロアー材の模様を残して面取りを行うと基材上に形成した単位くり返しの配列体の立体感をもたらして、配列体の模様が鮮明に引き立たせる。ＰＶＣ樹脂材等を用いた樹脂製フロアー材の面取りの表面仕上げ材を各辺で隣接させて配置して幾何学模様を構成した星様、花様、ダイヤ様、多角形様、ヘリンボーン様の模様型状配列体を、フロアー材の面取りの表面仕上げ材にしたテーブルの天板の要望する模様を熟練することなく、かつ短時間でデザイン的な模様を製作することができるように、横面の平板盤と縦面の平板が接する中心部の平板に貫通穴部を設けて、平板にモーター付き駆動器を固定して、刃物の先端部を前記穴部に差し込んで、フロアー材の角を削って面取りする装置を完成させることを目的とする。
【課題を解決するための手段】
【００１２】ポリ塩化ビニルタイル仕様の耐久性、耐水性のフローリング材である硬質ウレタン塗装層とポリ塩化ビニル層と０．１〜０．３ｍｍ厚さの天然木突板層と特殊シート層とポリ塩化ビニル複層フロアー層の五層構造の３ｍｍ厚さのフロアー材の面取りにおいて、五層構造のフロアー材である組み合わせ体が立体感を表現できるようになっている天然木突板の面を残して、硬質ウレタン塗装層とポリ塩化ビニル層とのみを角度１０〜２０°で厚さ０．５〜１ｍｍ、幅１〜２ｍｍに切削して、天然木突板模様面を残した面取りができるようになっているポリ塩化ビニル系フロアー材面取り機である。【００１３】平板盤に固定脚を取り付けた椅子形状体になっている面取り機の骨格は、椅子形状体の端の縦面に平板を張り付けて、横面の平板盤と縦面の平板との接する部分で、その中心位置にした縦平板に１０〜２０ｍｍ径の貫通穴部を設け、前記縦面平板の裏面にモーター付き駆動器を固定しており、前記駆動器の先端部には番傘状円錐形状刃物を固着させており、前記円錐形状刃物の先端部のみを前記穴部に差し込んで平板から突出させて、五層構造のフロアー材の面取り切削を可能にしている。【００１４】フロアー材の角部の切削面取り機の円錐形状刃物は、円錐体の角度３０〜６０°である番傘状円錐形状であり、円錐面の縦方向二箇所にＶ字状に掘り込み、掘り込みの一辺の角部に超鋼材の刃型を、切削角度として円錐状の傾斜角度に張り合わせたものであり、刃物は先端部３〜５ｍｍで円錐形に底部の径１０〜３０ｍｍφ、高さ２０〜４０ｍｍであり、前記シータイル角面の硬質ウレタン塗装層とポリ塩化ビニルを切削してフロアー材の面取りを行うために、ポリ塩化ビニルタイル仕様の五層構造である３〜５ｍｍのフロアー材部品を平板盤上に置いて、平板盤の横面に沿ってフロアー材を回転稼働中の前記番傘状円錐形状刃物に横面に沿って移動させる。【００１５】ポリ塩化ビニルタイル仕様の耐久性、耐水性のフローリングである硬質ウレタン塗装層とポリ塩化ビニル層と０．１〜０．３ｍｍ厚さの天然木突板層と特殊シート層とポリ塩化ビニル複層フロアー層の五層構造の３〜５ｍｍ厚さのフロアー材は、長方形状、正方形状、三角形状、台形形状、菱形形状の樹脂製タイルであり、フロアー材の表面仕上げ材を各辺で隣接させて配置して幾何学模様を構成した星様、花様、ダイヤ様、多角形様、格子様、ヘリンボーン様の模様型状配列体を形成し、前記フロアー材配列体を複数組、互いに隣接する配列体を隣接させて順次配置する上で、各フロアー材の模様を残して面取りを行うと基材上に形成した単位くり返しの配列体の立体感をもたらして、配列体の模様が鮮明に引き立たせる。【００１６】デザイン性が望ませ、今までにない意匠を持って、物品を置いても傷がつき難いものである。特に硬質ウレタン塗装により鏡面的光沢をもって、表面に強度を持った模様を呈した意匠性を持つフロアー材を面取りすることで、非常に立体感と重量感を与えて、用途において多く関心度の高いものである。またフロアー材を組み立てた装飾製品では、屋内に置く場合には装飾性とともに、立体感と重量感を添える用具となることから、需要の点で期待されている。しかも簡単にフロアー材の幾何学模様替えできるようなテーブル家具が期待されている。それらの点から幾何学模様の木質などの装飾性を備えて、広範囲な応用できる。
【考案の効果】
【００１７】本考案によれば、フロアー材の面取りの表面仕上げ材にしたテーブルの天板の要望する模様を熟練することなく、かつ短時間でデザイン的な模様を製作することができるように、横面の平板盤と縦面の平板が接する中心部の平板に貫通穴部を設けて、平板にモーター付き駆動器を固定して、刃物の先端部を前記穴部に差し込んで、フロアー材の角を削って面取りする装置によって、フロアー材配列体を複数組、互いに隣接する配列体を隣接させて順次配置する上で、各フロアー材の模様を残して面取りを行うと基材上に形成した単位くり返しの配列体の立体感をもたらして、配列体の模様が鮮明に引き立たせる。【００１８】鏡面的光沢をもって、表面に装飾性の模様を呈した意匠性を持ったフロアー材が得られて、面取りによって装飾性とともに、重量感を高めることができた。装飾性もよい幾何学模様を呈するフロアー材であるので、物品の接触、打撃によっても傷がつき難く、長期間に維持した。それらの点から木質などの装飾性を備えて、ポリ塩化ビニル系フロアー材面取りされたものは、広範囲な応用できるテーブル台、カウンター台などの装飾材として家具に使用できる。
【図面の簡単な説明】
【００１９】
【図１】ポリ塩化ビニル系フロアー材面取り機の図
【図２】ポリ塩化ビニル系フロアー材面取り機の使用状態の斜視図
【図３】ポリ塩化ビニル系フロアー材面取り機の面取り状態図
【図４】ポリ塩化ビニル系フロアー材面取り機の刃物の拡大構成図
【図５】面取り機に使用するポリ塩化ビニル系フロアー材における構成一例図  Ａ：構成図  Ｂ：断面図
【考案を実施するための形態】
【００２０】  図面を参照して本考案の実施形態につき説明する。図１〜図４は、本考案の一実施形態に係わる面取りの樹脂タイルよって幾何学模様に立体感にして仕上げ用表装材の概略の構成を示すことを以下に記述するものである。
【実施例１】
【００２１】ポリ塩化ビニルタイル仕様の耐久性、耐水性のフローリングである硬質ウレタン塗装層とポリ塩化ビニル層と０．２ｍｍ厚さの天然木突板層と特殊シート層とポリ塩化ビニル複層フロアー層の五層構造の３ｍｍ厚さのフロアー材であるシータイルの面取りにおいて、組み合わせ体が立体感を表現できるようになっている天然木突板の面を残して、硬質ウレタン塗装層とポリ塩化ビニル層とのみを角度１５°で厚さ０．７ｍｍ、幅１．５ｍｍに切削して天然木突板模様を呈する面取りを行う装置であるポリ塩化ビニル系フロアー材面取り機であった。【００２２】前記面取り機において、平板盤を持つ固定脚を取り付けた椅子状体の一面に縦方向で平板を張り付けて、横面の平板盤と縦面の平板が接する中心部の平板に１５ｍｍの貫通穴部を設けて、前記平板にモーター付き駆動器を固定している、前記駆動器の先端部を取り付けている前記番傘状円錐形状刃物の先端部を前記穴部に差し込んだ。【００２３】フロアー材のシータイルの角部の切削面取り機の刃物は、円錐体の角度１６００°である番傘状円錐形状であり、円錐面の縦方向二箇所にＶ字状に掘り込み、掘り込みの一辺の角部に超鋼材の刃型を、切削角度として円錐状の傾斜角度に張り合わせたものであり、刃物は先端部４ｍｍで円錐形に底部径１５ｍｍφ、高さ３０ｍｍであり、ポリ塩化ビニルタイル仕様の五層構造である３ｍｍのフロアー材のシータイル部品を平板盤上に置いて、平板に沿ってフロアー材のシータイルを回転している前記番傘状円錐形状刃物に移動させて、前記シータイル角面の硬質ウレタン塗装層とポリ塩化ビニルを切削してフロアー材のシータイルの面取りを行った。【００２４】ポリ塩化ビニルタイル仕様の耐久性、耐水性のフローリングである硬質ウレタン塗装層とポリ塩化ビニル層と０．２ｍｍ厚さの天然木突板層と特殊シート層とポリ塩化ビニル複層フロアー層の五層構造の３ｍｍ厚さのフロアー材のシータイルは、長方形状、正方形状、三角形状、台形形状、菱形形状の樹脂製タイルであり、フロアー材のシータイルの表面仕上げ材を各辺で隣接させて配置して幾何学模様を構成した星様、花様、ダイヤ様、多角形様、格子様、ヘリンボーン様の模様型状配列体を形成し、前記フロアー材であるシータイル配列体を複数組、互いに隣接する配列体を隣接させて順次配置する上で、各フロアー材であるシータイルの模様を残して面取りを行うと基材上に形成した単位くり返しの配列体の立体感をもたらして、配列体の模様が鮮明に引き立たせた。
【実施例２】
【００２５】ポリ塩化ビニルタイル仕様の耐久性、耐水性のフローリングである硬質ウレタン塗装層とポリ塩化ビニル層と０．２ｍｍ厚さの天然木突板層と特殊シート層とポリ塩化ビニル複層フロアー層の五層構造の３ｍｍ厚さのフロアー材の面取りにおいて、組み合わせ体が立体感を表現できるようになっている天然木突板の面を残して、硬質ウレタン塗装層とポリ塩化ビニル層とのみを角度１０〜２０°で厚さ０．５〜１ｍｍ、幅１〜２ｍｍに切削して天然木突板模様を呈する面取りを行う装置であるポリ塩化ビニル系フロアー材面取り機であった。【００２６】前記面取り機において、平板盤を持つ固定脚を取り付けた椅子状体の一面に縦方向で平板を張り付けて、横面の平板盤と縦面の平板が接する中心部の平板に１０〜２０ｍｍの貫通穴部を設けて、前記平板にモーター付き駆動器を固定している、前記駆動器の先端部を取り付けている前記番傘状円錐形状刃物の先端部を前記穴部に差し込んだ。【００２７】フロアー材の角部の切削面取り機の刃物は、円錐体の角度１５０〜１７０°である番傘状円錐形状であり、円錐面の縦方向二箇所にＶ字状に掘り込み、掘り込みの一辺の角部に超鋼材の刃型を、切削角度として円錐状の傾斜角度に張り合わせたものであり、刃物は先端部３〜５ｍｍで円錐形に底部径１０〜２０ｍｍφ、高さ２０〜４０ｍｍであり、ポリ塩化ビニルタイル仕様の五層構造である３ｍｍのシータイル部品を平板盤上に置いて、平板に沿ってシータイルを回転している前記番傘状円錐形状刃物に移動させて、前記フロアー材角面の硬質ウレタン塗装層とポリ塩化ビニルを切削してフロアー材の面取りを行った。【００２８】ポリ塩化ビニルタイル仕様の耐久性、耐水性のフローリングである硬質ウレタン塗装層とポリ塩化ビニル層と０．２ｍｍ厚さの天然木突板層と特殊シート層とポリ塩化ビニル複層フロアー層の五層構造の３ｍｍ厚さのフロアー材は、長方形状、正方形状、三角形状、台形形状、菱形形状の樹脂製タイルであり、フロアー材の表面仕上げ材を各辺で隣接させて配置して幾何学模様を構成した星様、花様、ダイヤ様、多角形様、格子様、ヘリンボーン様の模様型状配列体を形成し、前記フロアー材配列体を複数組、互いに隣接する配列体を隣接させて順次配置する上で、各フロアー材の模様を残して面取りを行うと基材上に形成した単位くり返しの配列体の立体感をもたらして、配列体の模様が鮮明に引き立たせた。
【符号の説明】
【００２９】１．面取り機
２．フロアー材、シータイル
３．五層ポリ塩化ビニル樹脂タイル
４．縦平板
５．配列体
６．Ｖ字状に掘り込
７．駆動体
８．番傘状円錐形状刃物
９．モータ
１０．平盤台
１１．脚
１２．木質基盤板材
１３．ウレタン系塗装
１４．透明ポリ塩化ビニル
１５．装飾突板板材
１６．特殊シート
１７．ポリ塩化ビニル基体
１８．積層体
１９．穴部
２０．幾何学模様装飾表装材
２１．平板盤
【図１】
0003228564.tif 000003
【図２】
0003228564.tif 000004
【図３】
0003228564.tif 000005
【図４】
0003228564.tif 000006
【図５】
0003228564.tif 000007
【手続補正書】
【提出日】令和2年3月6日(2020.3.6)
【手続補正１】
【補正対象書類名】実用新案登録請求の範囲
【補正対象項目名】全文
【補正方法】変更
【補正の内容】
【実用新案登録請求の範囲】
【請求項１】
ポリ塩化ビニルタイル仕様の耐久性、耐水性のフローリング材である硬質ウレタン塗装層とポリ塩化ビニル層と０．１〜０．３ｍｍ厚さの天然木突板層と突板との接着性を高める繊維質材の特殊シート層とポリ塩化ビニル複層フロアー層の五層構造の３〜５ｍｍ厚さのフロアー材の面取りにおいて、五層構造のフロアー材である積層体が立体感を表現できるように天然木突板の面を残して、硬質ウレタン塗装層とポリ塩化ビニル層とのみを角度１０〜２０°で厚さ０．５〜１ｍｍ、幅１〜２ｍｍに切削して、天然木突板模様面を表現した面取りができるようになっていることを特徴するポリ塩化ビニル系フロアー材面取り機。
【請求項２】
平板盤に固定脚を取り付けた椅子形状体になっている面取り機の骨格は、椅子形状体の端の縦面に平板を張り付けて、横面の平板盤と縦面の平板との接する部分で、その中心位置にした縦平板に１０〜２０ｍｍ径の貫通穴部を設け、前記縦面平板の裏面にモーター付き駆動器を固定しており、前記駆動器の先端部には番傘状円錐形状刃物を固着させており、前記円錐形状刃物の先端部のみを前記穴部に差し込んで平板から突出させて、五層構造のフロアー材の面取り切削を可能にしていることを特徴する請求項１に記載のポリ塩化ビニル系フロアー材面取り機。
【請求項３】
フロアー材の角部の切削面取り機の円錐形状刃物は、円錐体の角度３０〜６０°である番傘状円錐形状であり、円錐面の縦方向二箇所にＶ字状に掘り込み、掘り込みの一辺の角部に超鋼材の刃型を、切削角度として円錐状の傾斜角度に張り合わせたものであり、刃物は先端部３〜５ｍｍで円錐形に底部の径１０〜３０ｍｍφ、高さ２０〜４０ｍｍであり、前記フロアー材角面の硬質ウレタン塗装層とポリ塩化ビニルを切削してフロアー材の面取りを行うために、ポリ塩化ビニルタイル仕様の五層構造である３〜５ｍｍのフロアー材部品を平板盤上に置いて、平板盤の横面に沿ってフロアー材を回転稼働中の前記番傘状円錐形状刃物に横面に沿って移動させることを特徴する請求項１、又は請求項２に記載のポリ塩化ビニル系フロアー材面取り機。
【請求項４】
ポリ塩化ビニルタイル仕様の耐久性、耐水性のフローリングである硬質ウレタン塗装層とポリ塩化ビニル層と０．１〜０．３ｍｍ厚さの天然木突板層と突板との接着性を高めて強化材となる繊維質材の特殊シート層とポリ塩化ビニル複層フロアー層の五層構造の３〜５ｍｍ厚さのフロアー材は、長方形状、正方形状、三角形状、台形形状、菱形形状から選ばれる少なくとも１の形状の樹脂製タイルであり、フロアー材の表面仕上げ材を各辺で隣接させて配置して幾何学模様を構成した星様、花様、ダイヤ様、多角形様、格子様、ヘリンボーン様から選ばれる少なくとも１の模様を示す模様型状配列体を形成し、前記フロアー材の配列体を複数組、互いに隣接する配列体を隣接させて順次配置する上で、各フロアー材の模様を残して面取りを行うと基材上に形成した単位くり返しの配列体の立体感をもたらして、配列体の模様が鮮明に引き立たせることを特徴する請求項１〜請求項３のいずれかに記載のポリ塩化ビニル系フロアー材面取り機。